(57)【特許請求の範囲】
【請求項１】
当該ディジタルコンテンツを識別するための識別情報ＩＤと当該ディジタルコンテンツのコピー可能回数Ｎ１と当該ディジタルコンテンツのデータ本体とで構成される素材コンテンツと、一以上の素材コンテンツを編集してなるディジタルコンテンツであり当該ディジタルコンテンツ全体に関する全体情報Ｉａと当該ディジタルコンテンツの構成部分に関する部分情報Ｉｐと当該ディジタルコンテンツのデータ本体とで構成される編集コンテンツと、からなるディジタルコンテンツを取り扱うディジタルコンテンツ処理装置であって、
前記素材コンテンツが有するコピー可能回数の制限に対応させて、前記素材コンテンツ及び編集コンテンツのコピー可能回数を管理するコピー可能回数管理手段と、
前記コピー回数管理手段によって管理されている素材コンテンツのコピー可能回数Ｎ１に基づいて、編集元のディジタルコンテンツを編集して編集後のディジタルコンテンツを前記編集コンテンツとして生成する編集制御手段と、
編集元のディジタルコンテンツが素材コンテンツであるか編集コンテンツであるかを判定する編集元コンテンツ判定手段と、
編集元のディジタルコンテンツのうちの抽出する部分を特定する抽出部分設定手段と、
該抽出部分設定手段が特定した抽出部分に対応する素材コンテンツのコピー可能回数が１以上であるか否かにより前記編集制御手段の編集可否を判定する編集可否判定手段と、
を備え、
前記編集コンテンツの全体情報Ｉａは、当該編集コンテンツを識別するための識別情報ＩＤと、当該編集コンテンツ全体のコピー可能回数Ｎ３と、当該編集コンテンツを構成する素材コンテンツの数ＮＣとを含み、
前記編集コンテンツの部分情報Ｉｐは、当該編集コンテンツを構成する素材コンテンツごとの情報であり、該素材コンテンツの識別情報ＩＤと、該素材コンテンツのコピー可能回数Ｎ４と、該素材コンテンツの開始点Ｔｓと、該素材コンテンツの終了点Ｔｅとを含み、
前記コピー可能回数管理手段は、前記編集制御手段によりディジタルコンテンツの編集が行われる場合に、編集元のディジタルコンテンツのコピー可能回数を変更するとともに、この変更後のコピー可能回数に基づいて、生成された前記編集後のディジタルコンテンツのコピー可能回数を設定し、前記編集後のディジタルコンテンツに対応付けて管理し、
前記編集制御手段は、前記編集可否判定手段が編集可と判定した場合に、前記編集元コンテンツ判別手段の判別結果、前記抽出部分設定手段の特定した情報、前記コピー可能回数管理手段が設定した編集後のディジタルコンテンツのコピー可能回数に基づいて、前記編集後のディジタルコンテンツを編集し前記編集コンテンツのデータ構造を有するように編集後のディジタルコンテンツを生成することを特徴とするディジタルコンテンツ処理装置。
【請求項２】
前記コピー可能回数管理手段は、前記編集後のディジタルコンテンツが複数の前記素材コンテンツで構成される場合、前記変更後のコピー可能回数Ｎ１を構成部分ごとに対応させて前記コピー可能回数Ｎ４を設定するとともに、前記複数のコピー可能回数Ｎ４のうち最小のものを前記コピー可能回数Ｎ３として設定し、
前記編集制御手段は、前記編集後のディジタルコンテンツの全体については前記コピー可能回数Ｎ３に基づいて編集し、前記編集後のディジタルコンテンツの前記構成部分については構成部分ごとに対応する前記コピー可能回数Ｎ４に基づいて編集することを特徴とする請求項１に記載のディジタルコンテンツ処理装置。
【請求項３】
前記コピー可能回数管理手段は、前記編集制御手段により前記編集後のディジタルコンテンツを元として編集が行われた場合、当該編集後のディジタルコンテンツに対応付けられたコピー可能回数のうち、前記抽出部分設定手段の特定した情報に基づく抽出部分に対応する素材コンテンツのコピー可能回数Ｎ４を変更するとともに、当該編集後のディジタルコンテンツの元となっている編集元のコンテンツに対応付けられた素材コンテンツのコピー可能回数Ｎ１を変更することを特徴とする請求項１又は２に記載のディジタルコンテンツ処理装置。
【請求項４】
当該ディジタルコンテンツを識別するための識別情報ＩＤと当該ディジタルコンテンツのコピー可能回数Ｎ１と当該ディジタルコンテンツのデータ本体とで構成される素材コンテンツと、一以上の素材コンテンツを編集してなるディジタルコンテンツであり当該ディジタルコンテンツ全体に関する全体情報Ｉａと当該ディジタルコンテンツの構成部分に関する部分情報Ｉｐと当該ディジタルコンテンツのデータ本体とで構成される編集コンテンツと、からなるディジタルコンテンツを取り扱うディジタルコンテンツ処理装置であって、
前記素材コンテンツが有するコピー可能回数の制限に対応させて、前記素材コンテンツ及び編集コンテンツのコピー可能回数を管理するコピー可能回数管理手段と、
前記コピー回数管理手段によって管理されている素材コンテンツのコピー可能回数Ｎ１に基づいて、編集元のディジタルコンテンツを編集して編集後のディジタルコンテンツを前記編集コンテンツとして生成する編集制御手段と、
編集元のディジタルコンテンツが素材コンテンツであるか編集コンテンツであるかを判定する編集元コンテンツ判定手段と、
編集元のディジタルコンテンツのうちの抽出する部分を特定する抽出部分設定手段と、
該抽出部分設定手段が特定した抽出部分に対応する素材コンテンツのコピー可能回数が１以上であるか否かにより前記編集制御手段の編集可否を判定する編集可否判定手段と、
を備え、
前記編集コンテンツの全体情報Ｉａは、当該編集コンテンツを識別するための識別情報ＩＤと、当該編集コンテンツ全体のコピー可能回数Ｎ３と、当該編集コンテンツを構成する素材コンテンツの数ＮＣとを含み、
前記編集コンテンツの部分情報Ｉｐは、当該編集コンテンツを構成する素材コンテンツごとの情報であり、該素材コンテンツの識別情報ＩＤと、該素材コンテンツのコピー可能回数Ｎ４と、該素材コンテンツの開始点Ｔｓと、該素材コンテンツの終了点Ｔｅとを含み、
前記コピー可能回数管理手段は、前記編集制御手段によりディジタルコンテンツの編集が行われる際、
編集後のディジタルコンテンツが複数の前記素材コンテンツで構成される場合は、編集元の素材コンテンツのコピー可能回数Ｎ１を変更するとともに、当該変更後のコピー可能回数Ｎ１を構成部分ごとに対応させて前記コピー可能回数Ｎ４として設定し、かつ、前記複数のコピー可能回数Ｎ４のうち最小のものを前記コピー可能回数Ｎ３として設定し、
前記編集制御手段により前記編集コンテンツを元として編集が行われた場合は、当該編集コンテンツに対応付けられたコピー可能回数のうち、前記抽出部分設定手段の特定した情報に基づく抽出部分に対応する素材コンテンツのコピー可能回数Ｎ４を変更するとともに、当該編集後のディジタルコンテンツの元となっている素材コンテンツに対応付けられたコピー可能回数Ｎ１を変更し、
前記編集制御手段は、前記編集後のディジタルコンテンツの全体については前記コピー可能回数Ｎ３に基づいて編集し、前記編集後のディジタルコンテンツの前記構成部分については構成部分ごとに対応する前記コピー可能回数Ｎ４に基づいて編集することを特徴とするディジタルコンテンツ処理装置。
【発明の詳細な説明】
【技術分野】
【０００１】
本発明は、コピー可能回数を制限されたディジタルコンテンツを記録又は再生可能なディジタルコンテンツ処理装置に関し、特に、コピー可能回数が複数回に設定されたディジタルコンテンツを編集・加工する際に有用な技術に関する。
【背景技術】
【０００２】
近年、Ｄ−ＶＨＳビデオデッキ（ディジタルハイビジョンビデオ）やＨＤＤレコーダ等の録画機器では、ディジタルチューナで受信したハイビジョン番組をディジタル録画することが可能となっている。このとき、放送局から提供されるディジタルコンテンツ（ディジタル映像・音声データの集合のこと）の著作権保護のために、ほとんどの番組ではコピー制限が設定されており、ディジタルコンテンツの録画に制限が加えられている。
【０００３】
例えば、地上／ＢＳディジタル放送では、「コピーワンス」と呼ばれるコピー制限情報（ＣＣＩ：Copy Control Information）信号が放送波に付加されている。このＣＣＩ信号が付加されたディジタルコンテンツは、ハードディスクやＤＶＤ等の記憶媒体に１回だけコピー可能（放送局から提供されたコンテンツの録画を１回と数える）とされ、それ以降はそのコンテンツをコピーすることはできなくなる。例えば、ハードディスクに録画したコンテンツをＤＶＤ等に移すときは、移し終えた後でハードディスク内の元のコンテンツデータは消去される、いわゆる「ムーブ」という動作のみが可能となる。
【０００４】
ここで、コピー制限情報には、コンテンツのコピー可能回数を示す情報が含まれる。例えば、コピーワンス放送の場合、放送局から提供されるコンテンツのコピー可能回数が１回に設定され、このコンテンツが録画された時点で録画コンテンツのコピー可能回数は０回に変更されることとなる。これにより、コピーワンス放送から録画したコンテンツのコピーは不可となり、ムーブだけが可能となる。
【０００５】
なお、将来的には、ディジタルコンテンツのコピー制限は緩和される方向にあり、例えば、ハードディスクに元のコンテンツを残したままで、ＤＶＤ等に複数回（例えば、９回）コピーできるようにすることが提案されている。この場合、コピー制限情報に含まれるコピー可能回数は複数回に設定されることとなる。
【０００６】
一方で、利用者は、ディジタル放送により提供されるディジタルコンテンツだけでなく、例えば、インターネットや、ＤＶＤ、フラッシュメモリ等の可搬型記憶媒体を通じてディジタルコンテンツを入手することも可能である。このようなディジタルコンテンツの場合、コピー制限（コピー可能回数の設定）は著作者に委ねられるのが一般的である。そのため、ディジタルコンテンツのコピー可能回数はコンテンツによって異なる回数に設定されることもあり得る。
【０００７】
このように、ディジタルコンテンツにおいてコピー可能回数が複数回に設定されるようになると、ムーブと異なりコピー後も元のコンテンツデータが残ることとなるので、比較的手軽に編集・加工を行うことが可能となる。ただし、編集コンテンツは、元になるコンテンツの全部又は一部を含むので、この編集コンテンツについても元になるコンテンツと同等以上のコピー制限を行うべきである。
【０００８】
コピー可能回数が制限されたディジタルコンテンツのコピー・移動・編集を行う際に、適切に著作権保護を行うための技術として、例えば、以下の先行文献が挙げられる。
特許文献１には、著作権保護されたコンテンツを編集した際に、編集してできたコンテンツに対しても著作権保護機能を付加することを可能とする技術が開示されている。
特許文献２には、コピー許可／コピー禁止コンテンツが混在するＡＶファイルを別の記録媒体にコピーする場合に、コピー許可コンテンツだけを容易に抽出してコピーする技術が開示されている。
特許文献３には、コンテンツのコピーや移動の際に適切な制御を行う技術が開示されている。
特許文献４には、インターネット上のサーバにてコンテンツ利用条件の管理を行う技術が開示されている。
【特許文献１】特開２００５−３０２１１２号公報
【特許文献２】特開２００３−１３４４６１号公報
【特許文献３】特開２００１−１２５８３３号公報
【特許文献４】特開２００１−２７３２６３号公報
【発明の開示】
【発明が解決しようとする課題】
【０００９】
ところで、従来のコピー制限技術は、主としてディジタルコンテンツを別の記憶媒体にコピーすることを想定したものである。例えば、ハードディスクからＤＶＤにディジタルコンテンツをそのままコピーする場合や、ハードディスクに記録されているディジタルコンテンツ（素材コンテンツ）を元に編集したディジタルコンテンツ（編集コンテンツ）をＤＶＤに記録する場合である。
このような場合に、元の素材コンテンツについてはコピー可能回数を減算するとともに、編集コンテンツについてはコピー不可とすることで適切に著作権保護を行うことができる。
【００１０】
しかしながら、元のディジタルコンテンツを編集した後のディジタルコンテンツ（例えば、ＤＶＤに記録されたディジタルコンテンツ）は一つしか存在しないこととなり、また、他の記憶媒体にコピーすることもできないため、利用者にとって使い勝手がいいとはいえない。
【００１１】
本発明は、編集元となるディジタルコンテンツ（素材コンテンツ又は編集コンテンツ）の著作権保護機能を適切に保持しつつ、編集後のディジタルコンテンツ（編集コンテンツ）の利便性を向上できるディジタルコンテンツ処理装置を提供することを目的とする。
【課題を解決するための手段】
【００１２】
上記目的を達成するため、請求項１に記載の発明は、
当該ディジタルコンテンツを識別するための識別情報ＩＤと当該ディジタルコンテンツのコピー可能回数Ｎ１と当該ディジタルコンテンツのデータ本体とで構成される素材コンテンツと、一以上の素材コンテンツを編集してなるディジタルコンテンツであり当該ディジタルコンテンツ全体に関する全体情報Ｉａと当該ディジタルコンテンツの構成部分に関する部分情報Ｉｐと当該ディジタルコンテンツのデータ本体とで構成される編集コンテンツと、からなるディジタルコンテンツを取り扱うディジタルコンテンツ処理装置であって、
前記素材コンテンツが有するコピー可能回数の制限に対応させて、前記素材コンテンツ及び編集コンテンツのコピー可能回数を管理するコピー可能回数管理手段と、
前記コピー回数管理手段によって管理されている素材コンテンツのコピー可能回数Ｎ１に基づいて、編集元のディジタルコンテンツを編集して編集後のディジタルコンテンツを前記編集コンテンツとして生成する編集制御手段と、
編集元のディジタルコンテンツが素材コンテンツであるか編集コンテンツであるかを判定する編集元コンテンツ判定手段と、
編集元のディジタルコンテンツのうちの抽出する部分を特定する抽出部分設定手段と、
該抽出部分設定手段が特定した抽出部分に対応する素材コンテンツのコピー可能回数が１以上であるか否かにより前記編集制御手段の編集可否を判定する編集可否判定手段と、
を備え、
前記編集コンテンツの全体情報Ｉａは、当該編集コンテンツを識別するための識別情報ＩＤと、当該編集コンテンツ全体のコピー可能回数Ｎ３と、当該編集コンテンツを構成する素材コンテンツの数ＮＣとを含み、
前記編集コンテンツの部分情報Ｉｐは、当該編集コンテンツを構成する素材コンテンツごとの情報であり、該素材コンテンツの識別情報ＩＤと、該素材コンテンツのコピー可能回数Ｎ４と、該素材コンテンツの開始点Ｔｓと、該素材コンテンツの終了点Ｔｅとを含み、
前記コピー可能回数管理手段は、前記編集制御手段によりディジタルコンテンツの編集が行われる場合に、編集元のディジタルコンテンツのコピー可能回数を変更するとともに、この変更後のコピー可能回数に基づいて、生成された前記編集後のディジタルコンテンツのコピー可能回数を設定し、前記編集後のディジタルコンテンツに対応付けて管理し、
前記編集制御手段は、前記編集可否判定手段が編集可と判定した場合に、前記編集元コンテンツ判別手段の判別結果、前記抽出部分設定手段の特定した情報、前記コピー可能回数管理手段が設定した編集後のディジタルコンテンツのコピー可能回数に基づいて、前記編集後のディジタルコンテンツを編集し前記編集コンテンツのデータ構造を有するように編集後のディジタルコンテンツを生成することを特徴とする。
【００１４】
請求項２に記載の発明は、請求項１に記載のディジタルコンテンツ処理装置において、
前記コピー可能回数管理手段は、前記編集後のディジタルコンテンツが複数の前記素材コンテンツで構成される場合、前記変更後のコピー可能回数Ｎ１を構成部分ごとに対応させて前記コピー可能回数Ｎ４を設定するとともに、前記複数のコピー可能回数Ｎ４のうち最小のものを前記コピー可能回数Ｎ３として設定し、
前記編集制御手段は、前記編集後のディジタルコンテンツの全体については前記コピー可能回数Ｎ３に基づいて編集し、前記編集後のディジタルコンテンツの前記構成部分については構成部分ごとに対応する前記コピー可能回数Ｎ４に基づいて編集することを特徴とする。
【００１５】
請求項３に記載の発明は、請求項１又は２に記載のディジタルコンテンツ処理装置において、
前記コピー可能回数管理手段は、前記編集制御手段により前記編集後のディジタルコンテンツを元として編集が行われた場合、当該編集後のディジタルコンテンツに対応付けられたコピー可能回数のうち、前記抽出部分設定手段の特定した情報に基づく抽出部分に対応する素材コンテンツのコピー可能回数Ｎ４を変更するとともに、当該編集後のディジタルコンテンツの元となっている編集元のコンテンツに対応付けられた素材コンテンツのコピー可能回数Ｎ１を変更することを特徴とする。
【００１６】
請求項４に記載の発明は、
当該ディジタルコンテンツを識別するための識別情報ＩＤと当該ディジタルコンテンツのコピー可能回数Ｎ１と当該ディジタルコンテンツのデータ本体とで構成される素材コンテンツと、一以上の素材コンテンツを編集してなるディジタルコンテンツであり当該ディジタルコンテンツ全体に関する全体情報Ｉａと当該ディジタルコンテンツの構成部分に関する部分情報Ｉｐと当該ディジタルコンテンツのデータ本体とで構成される編集コンテンツと、からなるディジタルコンテンツを取り扱うディジタルコンテンツ処理装置であって、
前記素材コンテンツが有するコピー可能回数の制限に対応させて、前記素材コンテンツ及び編集コンテンツのコピー可能回数を管理するコピー可能回数管理手段と、
前記コピー回数管理手段によって管理されている素材コンテンツのコピー可能回数Ｎ１に基づいて、編集元のディジタルコンテンツを編集して編集後のディジタルコンテンツを前記編集コンテンツとして生成する編集制御手段と、
編集元のディジタルコンテンツが素材コンテンツであるか編集コンテンツであるかを判定する編集元コンテンツ判定手段と、
編集元のディジタルコンテンツのうちの抽出する部分を特定する抽出部分設定手段と、
該抽出部分設定手段が特定した抽出部分に対応する素材コンテンツのコピー可能回数が１以上であるか否かにより前記編集制御手段の編集可否を判定する編集可否判定手段と、
を備え、
前記編集コンテンツの全体情報Ｉａは、当該編集コンテンツを識別するための識別情報ＩＤと、当該編集コンテンツ全体のコピー可能回数Ｎ３と、当該編集コンテンツを構成する素材コンテンツの数ＮＣとを含み、
前記編集コンテンツの部分情報Ｉｐは、当該編集コンテンツを構成する素材コンテンツごとの情報であり、該素材コンテンツの識別情報ＩＤと、該素材コンテンツのコピー可能回数Ｎ４と、該素材コンテンツの開始点Ｔｓと、該素材コンテンツの終了点Ｔｅとを含み、
前記コピー可能回数管理手段は、前記編集制御手段によりディジタルコンテンツの編集が行われる際、
編集後のディジタルコンテンツが複数の前記素材コンテンツで構成される場合は、編集元の素材コンテンツのコピー可能回数Ｎ１を変更するとともに、当該変更後のコピー可能回数Ｎ１を構成部分ごとに対応させて前記コピー可能回数Ｎ４として設定し、かつ、前記複数のコピー可能回数Ｎ４のうち最小のものを前記コピー可能回数Ｎ３として設定し、
前記編集制御手段により前記編集コンテンツを元として編集が行われた場合は、当該編集コンテンツに対応付けられたコピー可能回数のうち、前記抽出部分設定手段の特定した情報に基づく抽出部分に対応する素材コンテンツのコピー可能回数Ｎ４を変更するとともに、当該編集後のディジタルコンテンツの元となっている素材コンテンツに対応付けられたコピー可能回数Ｎ１を変更し、
前記編集制御手段は、前記編集後のディジタルコンテンツの全体については前記コピー可能回数Ｎ３に基づいて編集し、前記編集後のディジタルコンテンツの前記構成部分については構成部分ごとに対応する前記コピー可能回数Ｎ４に基づいて編集することを特徴とする。
【発明の効果】
【００１７】
本発明によれば、コピー可能回数を制限されたディジタルコンテンツを編集する際に、元のディジタルコンテンツ（素材コンテンツ又は編集コンテンツ）と、編集後のディジタルコンテンツ（編集コンテンツ）の両方においてコピー制限情報を管理するので、素材コンテンツの著作権保護機能を適切に保持しつつ、編集コンテンツの利便性を向上できる。
【発明を実施するための最良の形態】
【００１８】
以下、本発明に係るディジタルコンテンツ処理装置を実施するための最良の形態について、図面を参照して説明する。本実施の形態では、本発明に係るディジタルコンテンツ処理装置をＤＶＤ／ＨＤＤレコーダに適用している。
【００１９】
図１は、本実施形態に係るＤＶＤ／ＨＤＤレコーダの概略構成を示すブロック図である。
図１に示すように、本実施形態のＤＶＤ／ＨＤＤレコーダ１は、ＣＰＵ（Central Processing Unit）１０１、ＲＡＭ（Random Access Memory）１０２、ＲＯＭ（Read Only Memory）１０３、入力部１０４、通信部１０５、チューナ部１０６、デコード部１０７、ＨＤＤ（Hard Disk Drive）１０８、ディスクドライブ１０９、出力部１１０、アンテナ１１１、を備えて構成される。なお、図１では省略しているが、ＤＶＤプレイヤー等の外部ＡＶ機器からの映像・音声信号を入力可能な構成としてもよい。
【００２０】
ＣＰＵ１０１は、例えば、ＲＯＭ１０３に格納された処理プログラム等を読み出して、ＲＡＭ１０２に展開して実行することにより、ＤＶＤ／ＨＤＤレコーダ１全体の制御を行う。
ＲＡＭ１０２は、ＣＰＵ１０１により実行された処理プログラム等を、ＲＡＭ１０２内のプログラム格納領域に展開するとともに、入力データや上記処理プログラムが実行される際に生じる処理結果等をデータ格納領域に格納する。
ＲＯＭ１０３は、例えば、半導体メモリ等で構成され、処理プログラムやデータ等が予め記憶されている。ＲＯＭ１０３には、例えば、後述するＨＤＤ１０８に記録されているディジタルコンテンツを編集又はコピーするための編集プログラム等が格納されている。
【００２１】
入力部１０４は、例えば、複数の操作ボタンを備えたリモコン装置や本体に設けられた操作パネルであり、ユーザの操作に基づく操作信号をＣＰＵ１０１に出力する。つまり、入力部１０４からの入力信号に基づいて、チャンネル変更や音量調整、及びディジタルコンテンツの編集処理が実行されることとなる。
【００２２】
通信部１０５は、例えば、インターネット等の通信ネットワークを介して情報を送受信するためのプロトコル処理等を行う。例えば、通信部１０５を介して、インターネット上のコンテンツ提供者からディジタルコンテンツを取得（購入）することができる。そして、取得されたディジタルコンテンツはＨＤＤ１０８に記憶される。
【００２３】
チューナ部１０６は、例えば、ＲＦ部（図示略）、Ａ／Ｄ変換部（図示略）、復調部（図示略）等を備えて構成される。ＲＦ部は、アンテナ１１１から入力されたテレビジョン放送信号（例えば、地上ディジタル放送、ＢＳディジタル放送、ＣＳディジタル放送）をユーザが所望するチャンネルのベースバンド信号に変換・増幅し出力する。Ａ／Ｄ変換部は、アナログ信号をディジタル（ベースバンド）信号に変換する。復調部は、ベースバンド信号を復調してストリーム信号を出力する。このストリーム信号に含まれるディジタル映像・音声データは、ディジタルコンテンツとしてＨＤＤ１０８に記録される。
【００２４】
デコード部１０７は、例えば、ＨＤＤ１０８に記憶されたディジタルコンテンツ（例えば、ＭＰＥＧ２データ）を復号し、ディジタル映像信号又はディジタル音声信号を出力する。
【００２５】
ＨＤＤ１０８は、例えば、磁気的記録媒体等を備えて構成され、通信部１０５やチューナ部１０６から出力されたディジタルコンテンツを記憶する。このとき、チューナ部１０６又は通信部１０５により取得したディジタルコンテンツにコピー制限情報が付加されている場合は、ディジタルコンテンツの本体データと、このディジタルコンテンツに対応するコピー制限情報を記憶する。ここで、コピー制限情報は、例えば、ディジタルコンテンツのコピー可能回数を示す情報を含む。このＨＤＤ１０８に記憶されるディジタルコンテンツのデータ構成については後述する。
【００２６】
以下の説明において、コンテンツ提供者から提供されたディジタルコンテンツ、すなわち通信部１０５又はチューナ部１０６により取得した著作権保護すべきディジタルコンテンツを素材コンテンツと称し、この素材コンテンツを元に編集して生成されるディジタルコンテンツを編集コンテンツと称する。また、編集コンテンツを元に編集して生成されたディジタルコンテンツも編集コンテンツとなる。
【００２７】
ディスクドライブ１０９は、ＤＶＤ等のディスク状記憶媒体Ｍからデータを読み出したり、ディスク状記憶媒体Ｍにデータを書き込んだりするためのものである。例えば、ＨＤＤ１０８に記憶されているディジタルコンテンツについて、コピー可能回数が１回以上であれば、このディジタルコンテンツをディスク状記憶媒体Ｍにコピーすることができる。なお、ディジタルコンテンツのコピー可能回数が０回の場合は、コピーはできないがムーブ（ＨＤＤ１０８内のディジタルコンテンツは消去される）することはできる。
【００２８】
出力部１１０は、デコード部１０７から出力されたディジタル映像信号又はディジタル音声信号をアナログ映像信号又はアナログ音声信号に変換して出力する。そして、出力部１１０から出力されたアナログ映像信号は、例えば、ＬＣＤ（Liquid Crystal Display）等の表示部に入力されて、このアナログ映像信号に基づく映像が表示される。また、出力部１１０から出力されたアナログ音声信号は、例えば、スピーカ等の音声出力部に入力されて、このアナログ音声信号に基づく音声が出力される。
【００２９】
図２は、ＨＤＤ１０８に記憶されるディジタルコンテンツのデータ構成を示す説明図であり、図２（ａ）は素材コンテンツのデータ構成、図２（ｂ）は編集コンテンツのデータ構成を示す。
【００３０】
図２（ａ）に示すように、素材コンテンツは、コンテンツを識別するための識別情報ＩＤと、素材コンテンツのコピー可能回数Ｎ１と、素材コンテンツのデータ本体（ディジタル映像・音声データ）Ｄと、で構成される。
図２（ａ）では、素材コンテンツＡは、コンテンツＩＤ（ＩＤａ）が“Ａ”で、コピー可能回数Ｎ１ａが“１”であることを示している。また、素材コンテンツＢは、コンテンツＩＤ（ＩＤｂ）が“Ｂ”で、コピー可能回数Ｎ１ｂが“４”であることを示している。
【００３１】
素材コンテンツＡ又はＢを元にして編集又はコピーする場合、それぞれの素材コンテンツのコピー可能回数Ｎ１ａ、Ｎ１ｂが参照され、このコピー可能回数Ｎ１ａ、Ｎ１ｂが１以上である場合に、編集又はコピーが可能となる。図２において、素材コンテンツＡ、Ｂともに、コピー可能回数Ｎ１ａ、Ｎ１ｂは１以上となっているので、これらの素材コンテンツを元にして編集又はコピーすることができる。
【００３２】
図２（ｂ）に示すように、編集コンテンツは、コンテンツ全体に関する全体情報Ｉａと、コンテンツの構成部分に関する部分情報Ｉｐと、編集コンテンツのデータ本体（ディジタル映像・音声データ）Ｄと、で構成される。
全体情報Ｉａは、コンテンツを識別するための識別情報ＩＤと、編集コンテンツ全体のコピー可能回数Ｎ３と、素材コンテンツの組合せ数（編集コンテンツを構成する素材コンテンツの数）ＮＣと、を含む。
【００３３】
部分情報Ｉｐは、編集コンテンツを構成する素材コンテンツごとの情報であり、素材コンテンツの識別情報ＩＤと、素材コンテンツのコピー可能回数Ｎ４と、素材コンテンツの開始点Ｔｓと、素材コンテンツの終了点Ｔｅと、を含む。
すなわち、編集コンテンツのコピー可能回数Ｎ２は、編集コンテンツ全体のコピー可能回数Ｎ３と、編集コンテンツの部分的なコピー可能回数Ｎ４と、で表すことができる。
【００３４】
本実施形態では、編集コンテンツが複数の素材コンテンツで構成される場合、各構成部分に対応するコピー可能回数Ｎ４（例えば、Ｎ４ａ、Ｎ４ｂ）のうち、最小のものを編集コンテンツ全体のコピー可能回数Ｎ３とする。編集コンテンツを構成する素材コンテンツのうち、コピー可能回数が最も少ない素材コンテンツの著作権保護機能を保持するためである。
【００３５】
また、部分情報Ｉｐに含まれる素材コンテンツのコピー可能回数Ｎ４（例えば、Ｎ４ａ、Ｎ４ｂ）と、素材コンテンツ自体のコピー可能回数Ｎ１（例えば、Ｎ１ａ、Ｎ１ｂ）とは同じとされる。つまり、一方（例えば、編集コンテンツの構成部分）のコピー可能回数Ｎ４が変更されたときには、他方（構成部分を含む素材コンテンツ）のコピー可能回数Ｎ１も変更されることとなる。これにより、素材コンテンツと編集コンテンツの両方において、著作権保護機能を適切に保持できる。
【００３６】
図２（ｂ）では、編集コンテンツＣは、コンテンツＩＤ（ＩＤｃ）が“Ｃ”、全体のコピー可能回数Ｎ３ｃが“１”、素材コンテンツの組合せ数ＮＣｃが“２”（素材コンテンツＡと素材コンテンツＢ）であることを示している。また、素材コンテンツＡで構成される部分については、コピー可能回数Ｎ４ａが“１”、コンテンツ開始点Ｔｓａが“ｔ０”、コンテンツ終了点Ｔｅａが“ｔ１”であり、素材コンテンツＢで構成される部分については、コピー可能回数Ｎ４ｂが“４”、コンテンツ開始点Ｔｓｂが“ｔ１”、コンテンツ終了点Ｔｅｂが“ｔ２”であることを示している。
【００３７】
編集コンテンツＣを元にしてコピーする場合、編集コンテンツ全体に対応するコピー可能回数Ｎ３ｃが参照され、このコピー可能回数Ｎ３ｃが１以上である場合に、コピーが可能となる。また、編集コンテンツＣを元にして編集（部分抽出）する場合、編集に係る構成部分に対応するコピー可能回数Ｎ４が参照され、このコピー可能回数Ｎ４が１以上である場合に、編集又はコピーが可能となる。つまり、編集コンテンツ全体としてのコピー可能回数は０（コピー不可）であっても、部分的にはコピー可能回数が１以上になっている場合もあるため、このような場合は素材コンテンツごとのコピー可能回数に従う。
【００３８】
図２（ｂ）において、編集コンテンツＣを構成する素材コンテンツＡ、Ｂのコピー可能回数Ｎ４ａ、Ｎ４ｂは１以上となっているので、編集コンテンツＣを元にして編集又はコピーすることができる。なお、編集コンテンツＣを元にしてコピーする場合は、編集コンテンツ全体のコピー可能回数Ｎ３ｃだけを参照するだけでよい（部分的なコピーは編集として扱う）。
【００３９】
本実施形態のＤＶＤ／ＨＤＤレコーダ１において、ＣＰＵ１０１は、コピー可能回数を制限されたディジタルコンテンツに対応させて、このディジタルコンテンツのコピー可能回数をＨＤＤ１０８に記憶させて管理するコピー可能回数管理手段として機能する。
また、ディジタルコンテンツ（素材コンテンツ、編集コンテンツ）に対応して記憶されているコピー可能回数に基づいて、素材コンテンツを編集またはコピーして編集コンテンツを生成する編集制御手段として機能する。
【００４０】
次に、図３〜１２を参照して、ＤＶＤ／ＨＤＤレコーダ１において実行される編集処理について説明する。なお、編集処理により新たに生成される編集コンテンツは、素材コンテンツと同様にＨＤＤ１０８に記憶されるものとする。
図３、４は、ＤＶＤ／ＨＤＤレコーダ１において実行される編集処理の一例について示したフローチャートである。この編集処理は、ＣＰＵ１０１がＲＯＭ１０３内の編集プログラムを実行することにより実現される。例えば、入力部１０４からユーザの操作に基づく編集指示信号が出力されたときに実行される処理である。
【００４１】
図５〜８は、ＤＶＤ／ＨＤＤレコーダ１において実行される編集処理の編集態様について示した説明図である。図５〜８において、コンテンツのＩＤ及びコピー可能回数を“コンテンツＩＤ（コピー可能回数）”で表記している。例えば、図５において、“Ａ（２）”は、素材コンテンツＡで、コピー可能回数が２であることを示す。
図９〜１２は、図５〜８の編集態様に対応するＨＤＤ１０８における編集前後のデータ構成を示す説明図である。
【００４２】
図５〜８に示すように、本実施形態では、編集処理として、複数のディジタルコンテンツを連結して１つの編集コンテンツを生成する連結編集（図５、６）と、１のディジタルコンテンツから部分的に抽出（複数の部分を抽出する場合を含む）して編集コンテンツを生成する部分抽出編集（図７、８）を扱う。
そして、連結編集においては素材コンテンツだけを元にすることができ、部分抽出編集においては素材コンテンツと編集コンテンツの両方を元にすることができるものとする。素材コンテンツと編集コンテンツの両方に対して、有効なコピー制限情報を管理することで、素材コンテンツの著作権保護機能を適切に保持するためである。
【００４３】
具体的には、図５及び図９は、コピー可能回数２の素材コンテンツＡと、コピー可能回数５の素材コンテンツＢを連結して、編集コンテンツＣを生成する場合を示している。生成された編集コンテンツＣにおいて、素材コンテンツＡの終了点ｔ１と素材コンテンツＢの開始点ｔ１が一致する単純な連結編集である。
【００４４】
図６及び図１０は、コピー可能回数２の素材コンテンツＡと、コピー可能回数５の素材コンテンツＢを連結して、編集コンテンツＤを生成する場合を示している。生成された編集コンテンツＤにおいて、素材コンテンツＡの終了点ｔ２よりも素材コンテンツＢの開始点ｔ１が早く設定されており、この重複部分ｔ１〜ｔ２では合成処理がなされることとなる。
【００４５】
図７及び図１１は、コピー可能回数２の素材コンテンツＡを元にして、素材コンテンツＡを部分的（Ａ１、Ａ２）に抽出して、編集コンテンツＥを生成する場合を示している。
【００４６】
図８及び図１２は、図６に示す連結編集により生成された編集コンテンツＤを元にして、編集コンテンツＤを構成する素材コンテンツＡから部分的（Ａ３）に抽出して、編集コンテンツＦを生成する場合を示している。編集コンテンツＤを元にして、部分抽出編集を行う場合、編集に係る構成部分（素材コンテンツＡ）のコピー可能回数Ｎ４が参照されることとなる。
【００４７】
以下、図３、４のフローチャートに従って、上述した編集態様について具体的に説明する。
図３において、ステップＳ１０１では、実行する編集処理は連結編集であるか、部分抽出編集であるかを判定する。つまり、図５、６に示す編集とするか、図７、８に示す編集とするか判定する。
例えば、入力部１０４から編集処理を実行するための編集指示信号が出力されたときに、出力部１１０に接続された外部の表示装置において編集初期画面を表示させ、この画面上で連結編集と部分抽出編集の何れを実行するか選択させる。そして、入力部１０４からの選択指示信号に基づいて、何れの編集処理を実行するか決定する。
ステップＳ１０１において、連結編集が選択されたと判定した場合はステップＳ１０２に移行し、部分抽出編集が選択されたと判定した場合は図４のステップＳ１１０に移行する。
【００４８】
ステップＳ１０２では、編集処理の元となる素材コンテンツを選択する。例えば、ＨＤＤ１０８に記憶されている素材コンテンツを表示装置に表示させ、この画面上でどの素材コンテンツを連結するか選択させる。そして、入力部１０４からの選択指示信号に基づいて、編集処理の元となる素材コンテンツを選択する。図５、６では、編集処理の元となる素材コンテンツとして、素材コンテンツＡ、Ｂが選択された場合を示している。
【００４９】
ステップＳ１０３では、選択された素材コンテンツのそれぞれのコピー可能回数Ｎ１が１以上であるか判定する。そして、選択された素材コンテンツのすべてについてコピー可能回数Ｎ１が１以上であると判定した場合はステップＳ１０４に移行し、少なくとも１つの素材コンテンツについてコピー可能回数Ｎ１が０であると判定した場合は編集処理を終了する。
図５、６では、選択された素材コンテンツＡ、Ｂは、それぞれコピー可能回数Ｎ１ａ、Ｎ１ｂが１以上となっているので、連結編集が可能である。
【００５０】
なお、ステップＳ１０２において、コピー可能回数が１以上の素材コンテンツだけを選択画面に表示させることで、ステップＳ１０３を省略するようにしてもよい。また、少なくとも１つの素材コンテンツについてコピー可能回数が０であると判定した場合は、ステップＳ１０２に移行して、元となる素材コンテンツを再度選択させ直すようにしてもよい。
【００５１】
ステップＳ１０４では、選択された各素材コンテンツの開始点、終了点を設定する。なお、選択された素材コンテンツの開始点を決定すれば、素材コンテンツの大きさは決まっているので、終了点は自ずと決定される。このとき、先に再生される素材コンテンツの終了点よりも早く、後に再生される素材コンテンツの開始点が設定されても構わない。このような場合は、合成処理を施して再生コンテンツを遷移させることとなる。
【００５２】
図５では、素材コンテンツＡについて、開始点ｔ０、終了点ｔ１が設定され、素材コンテンツＢについて、開始点ｔ１、終了点ｔ２が設定された場合を示している。
図６では、素材コンテンツＡについて、開始点ｔ０、終了点ｔ２が設定され、素材コンテンツＢについて、開始点ｔ１（＜ｔ２）、終了点ｔ３が設定された場合を示している。
【００５３】
ステップＳ１０５では、素材コンテンツに重複部分があるか判定する。例えば、先に再生される素材コンテンツの終了点よりも早く、後に再生される素材コンテンツの開始点が設定されている場合に重複部分があることになる。そして、重複部分があると判定した場合（例えば、図６）はステップＳ１０６に移行し、重複部分がないと判定した場合（例えば、図５）はステップＳ１０７に移行する。
【００５４】
ステップＳ１０６では、重複部分における合成方法を設定する。この合成方法には、例えば、一方の素材コンテンツがフェードアウトしながら他方の素材コンテンツが重なってフェードインするクロスフェード等がある。
【００５５】
ステップＳ１０７では、複数の選択コンテンツを連結して（必要に応じて合成処理を施し）編集コンテンツを生成する。このとき、編集コンテンツＩＤ、コンテンツ組合せ数、素材コンテンツＩＤ、コンテンツ開始点、コンテンツ終了点等のコピー可能回数以外の情報が設定される。図５に示す編集では編集コンテンツＣが生成され、図６に示す編集では編集コンテンツＤが生成される。
【００５６】
ステップＳ１０８では、元となる素材コンテンツのコピー可能回数Ｎ１を１減算する。素材コンテンツが編集に使用された場合は、１回コピーされたとみなすことができるので、元となった素材コンテンツの著作権保護機能を保持するためにコピー可能回数を１減算する。
【００５７】
図５に示す編集の場合、素材コンテンツＡについてはコピー可能回数Ｎ１ａが２から１に減算され、素材コンテンツＢについてはコピー可能回数Ｎ１ｂが５から４に減算される（図９（ｂ）の素材コンテンツＡ、Ｂ）。
図６に示す編集の場合も同様に、素材コンテンツＡについてはコピー可能回数Ｎ１ａが２から１に減算され、素材コンテンツＢについてはコピー可能回数Ｎ１ｂが５から４に減算される（図１０（ｂ）の素材コンテンツＡ、Ｂ）。
【００５８】
ステップＳ１０９では、編集コンテンツのコピー可能回数Ｎ３、Ｎ４を設定する。具体的には、編集コンテンツを構成する素材コンテンツの変更後のコピー可能回数Ｎ１を構成部分ごとに対応させてコピー可能回数Ｎ４を設定する。そして、構成部分ごとのコピー可能回数Ｎ４のうち最小のものを編集コンテンツ全体のコピー可能回数Ｎ３とする。
【００５９】
図５に示す編集の場合、編集コンテンツＣを構成する素材コンテンツＡの部分についてはコピー可能回数Ｎ４ａとして１が設定され、素材コンテンツＢの部分についてはコピー可能回数Ｎ４ｂとして４が設定される。そして、編集コンテンツＣ全体のコピー可能回数Ｎ３ｃとして、コピー可能回数Ｎ４ａとＮ４ｂのうち小さい方、すなわち１が設定される。
図６に示す編集の場合、編集コンテンツＤを構成する素材コンテンツＡの部分についてはコピー可能回数Ｎ４ａとして１が設定され、素材コンテンツＢの部分についてはコピー可能回数Ｎ４ｂとして４が設定される。そして、編集コンテンツＤ全体のコピー可能回数Ｎ３ｃとして、コピー可能回数Ｎ４ａとＮ４ｂのうち小さい方、すなわち１が設定される。また、編集コンテンツＤにおいては、ｔ１〜ｔ２区間は素材コンテンツＡ、Ｂが混在するが、この部分についてはコピー可能回数の少ない方に合わせればよい。
【００６０】
このように、図３のステップＳ１０１〜Ｓ１０９の処理により連結編集が行われる。また、連結編集の場合、編集前後のデータ構成は図９、図１０に示すとおりとなる。
【００６１】
図３のステップＳ１０１において、部分抽出編集が選択されたと判定した場合は図４のステップＳ１１０に移行する。
【００６２】
ステップＳ１１０では、編集処理の元となるディジタルコンテンツを選択する。例えば、ＨＤＤ１０８に記憶されている素材コンテンツ及び編集コンテンツを表示装置に表示させ、この画面上でどのコンテンツから部分抽出するか選択させる。そして、入力部１０４からの選択指示信号に基づいて、編集処理の元となるコンテンツを選択する。図７では、編集処理の元となるコンテンツとして素材コンテンツＡが選択された場合を示している。また、図８では、編集処理の元となるディジタルコンテンツとして、編集コンテンツＤが選択された場合を示している。
【００６３】
ステップＳ１１１では、選択されたコンテンツが素材コンテンツであるか、編集コンテンツであるか判定する。そして、選択されたコンテンツが素材コンテンツであると判定した場合（例えば、図７）はステップＳ１１２に移行し、編集コンテンツであると判定した場合（例えば、図８）はステップＳ１１７に移行する。
【００６４】
ステップＳ１１２では、選択された素材コンテンツにおいて、抽出する部分を設定する。図７では、抽出部分としてＡ１部分とＡ２部分が設定された場合を示している。抽出される部分は、複数でもよいし単独でもよい。また、抽出部分として素材コンテンツＡの全体が設定された場合には、素材コンテンツＡのコピーとなる。
【００６５】
ステップＳ１１３では、選択された素材コンテンツのコピー可能回数Ｎ１が１以上であるか判定する。そして、選択された素材コンテンツのコピー可能回数Ｎ１が１以上であると判定した場合はステップＳ１１４に移行し、コピー可能回数Ｎ１が０であると判定した場合は編集処理を終了する。
図７では、素材コンテンツＡは、コピー可能回数Ｎ１ａが１以上となっているので、部分抽出編集が可能である。
【００６６】
なお、ステップＳ１１０において、コピー可能回数が１以上（編集コンテンツの場合は全体のコピー可能回数Ｎ３が１以上）のコンテンツだけを選択画面に表示させることで、ステップＳ１１３を省略するようにしてもよい。また、選択された素材コンテンツについてコピー可能回数が０であると判定した場合は、ステップＳ１１０に移行して、元となる素材コンテンツを再度選択させ直すようにしてもよい。
【００６７】
ステップＳ１１４では、設定された部分を抽出して編集コンテンツを生成する。このとき、編集コンテンツＩＤ、コンテンツ組合せ数、素材コンテンツＩＤ、コンテンツ開始点、コンテンツ終了点等のコピー可能回数以外の情報が設定される。図７に示す編集では編集コンテンツＥが生成される。
【００６８】
ステップＳ１１５では、元となる素材コンテンツのコピー可能回数Ｎ１を１減算する。図７に示す編集の場合、素材コンテンツＡについてはコピー可能回数Ｎ１ａが２から１に減算される。（図１１（ｂ）の素材コンテンツＡ）。
ステップＳ１１６では、編集コンテンツのコピー可能回数Ｎ３、Ｎ４を設定する。１つの素材コンテンツからの部分抽出であるので、素材コンテンツの変更後のコピー可能回数Ｎ１がそのまま編集コンテンツのコピー可能回数Ｎ３、Ｎ４となる。
【００６９】
図７に示す編集の場合、編集コンテンツＥは素材コンテンツＡの一部によって構成されているので、コピー可能回数Ｎ４ａとして１が設定され、編集コンテンツＥ全体のコピー可能回数Ｎ３ｅも同様に１が設定される。
【００７０】
このように、図４のステップＳ１１０〜Ｓ１１６の処理により素材コンテンツからの部分抽出編集が行われる。また、素材コンテンツからの部分抽出編集の場合、編集前後のデータ構成は図１１に示すとおりとなる。
【００７１】
ステップＳ１１１において、選択されたコンテンツが編集コンテンツであると判定した場合（例えば、図８）はステップＳ１１７に移行する。
ステップＳ１１７では、選択された編集コンテンツにおいて、抽出する部分を設定する。図８では、抽出部分として素材コンテンツＡのＡ３部分が設定された場合を示している。抽出される部分は、複数でもよいし単独でもよい。また、抽出部分として編集コンテンツＤの全体が設定された場合には、編集コンテンツＤのコピーとなる。
【００７２】
ステップＳ１１８では、抽出部分に対応する素材コンテンツのそれぞれのコピー可能回数Ｎ４が１以上であるか判定する。そして、抽出部分に対応する素材コンテンツのコピー可能回数Ｎ４が１以上であると判定した場合はステップＳ１１９に移行し、コピー可能回数Ｎ４が０であると判定した場合は編集処理を終了する。
【００７３】
図８では、抽出部分に対応する素材コンテンツＡのコピー可能回数Ｎ４ａは１以上となっているので、部分抽出編集が可能である。ここで、図８に示すような複数の素材コンテンツで構成される編集コンテンツＤから部分抽出を行う場合には、一方の素材コンテンツのコピー可能回数が０で、他方の素材コンテンツのコピー可能回数が１以上となっている場合もあり得る。この場合、編集コンテンツＤ全体のコピー可能回数Ｎ３ｄは０となるが、コピー回数が１以上である素材コンテンツから部分抽出を行うことは可能となる。
なお、素材コンテンツＡと素材コンテンツＢが合成されている区間ｔ１−ｔ２については、抽出部分として設定できないものとする。
【００７４】
ステップＳ１１９では、設定された部分を抽出して編集コンテンツを生成する。このとき、編集コンテンツＩＤ、コンテンツ組合せ数、素材コンテンツＩＤ、コンテンツ開始点、コンテンツ終了点等のコピー可能回数以外の情報が設定される。図８に示す編集では編集コンテンツＦが生成される。
【００７５】
ステップＳ１２０では、抽出部分に対応する素材コンテンツのコピー可能回数Ｎ１を１減算する。図８に示す編集の場合、素材コンテンツＡについてはコピー可能回数Ｎ１ａが１から０に減算される。（図１２（ｂ）の素材コンテンツＡ）。
【００７６】
ステップＳ１２１では、元の編集コンテンツのコピー可能回数Ｎ３、Ｎ４を変更する。図８に示す編集の場合、編集コンテンツＤについて、素材コンテンツＡの部分抽出が行われているので、この素材コンテンツＡのコピー可能回数Ｎ４ａが１減算され、１から０になる。そして、編集コンテンツＤ全体のコピー可能回数Ｎ３ｄは、素材コンテンツのコピー可能回数Ｎ４のうちの最小のものなので、０となる。
【００７７】
ステップＳ１２２では、新たに生成された編集コンテンツのコピー可能回数Ｎ３、Ｎ４を設定する。図８に示す編集の場合、編集コンテンツＦは素材コンテンツＡの一部によって構成されているので、コピー可能回数Ｎ４ａとして０が設定され、編集コンテンツＥ全体のコピー可能回数Ｎ３ｆも同様に０が設定される。
【００７８】
このように、図４のステップＳ１１７〜Ｓ１２２の処理により編集コンテンツからの部分抽出編集が行われる。また、編集コンテンツからの部分抽出編集の場合、編集前後のデータ構成は図１２に示すとおりとなる。
【００７９】
上述したように、本実施形態のＤＶＤ／ＨＤＤレコーダ１は、編集コンテンツが複数の素材コンテンツで構成される場合、素材コンテンツの変更後のコピー可能回数Ｎ１を、編集コンテンツの構成部分ごとに対応させてコピー可能回数Ｎ４として設定するとともに、複数のコピー可能回数Ｎ４のうち最小のものを編集コンテンツ全体のコピー可能回数Ｎ３として設定する。
そして、編集コンテンツの全体についてはコピー可能回数Ｎ３に基づいて編集又はコピーし、編集コンテンツの構成部分については構成部分ごとに対応するコピー可能回数Ｎ４に基づいて編集又はコピーする。
【００８０】
また、編集コンテンツを元として編集又はコピーが行われる場合、当該編集コンテンツに対応付けられたコピー可能回数Ｎ２（Ｎ３、Ｎ４）を必要に応じて変更するとともに、当該編集コンテンツの元となっている素材コンテンツに対応付けられたコピー可能回数Ｎ１を変更する。つまり、編集コンテンツを元にして編集又はコピーが行われた場合、元となる編集コンテンツのコピー可能回数だけでなく、当該編集コンテンツの元となる素材コンテンツのコピー可能回数も変更する。
【００８１】
したがって、編集コンテンツにおいても適切なコピー制限情報（コピー可能回数）が付与されるので著作権保護機能を保持できるとともに、設定されたコピー制限の範囲内で編集コンテンツのコピー及び編集も可能となるので、利用者にとって利便性が向上する。
【００８２】
以上、本発明者によってなされた発明を実施形態に基づいて具体的に説明したが、今回開示された実施の形態はすべての点で例示であって制限的なものではないと考えられるべきである。
【００８３】
例えば、編集コンテンツの構成部分が複数の素材コンテンツを合成してなる場合、この構成部分に含まれる素材コンテンツの変更後のコピー可能回数Ｎ１のうち、最小のものを当該構成部分のコピー可能回数Ｎ４として管理するようにすれば、合成部分についても著作権保護機能を保持したまま編集又はコピーの対象とすることができる。
ＨＤＤ１０８に記憶されているディジタルコンテンツはディスクドライブ１０９に装着されたディスク状記憶媒体Ｍにコピーできるようにしてもよい。この場合、コピー可能回数を適切に変更して記録するようにしてもよいし、コピー可能回数を０（コピー不可）として素材コンテンツの著作権保護機能を確実に保持するようにしてもよい。
【００８４】
本発明は、ＤＶＤ／ＨＤＤレコーダだけでなく、ディジタルコンテンツの編集機能を備えたディジタルコンテンツ処理装置に適用できる。
また、本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本実施形態に係るＤＶＤ／ＨＤＤレコーダ１の概略構成を示すブロック図である。
【図２】ＨＤＤ１０８に記憶されるディジタルコンテンツのデータ構成を示す説明図である。
【図３】ＤＶＤ／ＨＤＤレコーダ１において実行される編集処理（連結編集）の一例について示したフローチャートである。
【図４】ＤＶＤ／ＨＤＤレコーダ１において実行される編集処理（部分抽出編集）の一例について示したフローチャートである。
【図５】ＤＶＤ／ＨＤＤレコーダ１において実行される編集態様の一例（単純連結）について示した説明図である。
【図６】ＤＶＤ／ＨＤＤレコーダ１において実行される編集態様の一例（合成連結）について示した説明図である。
【図７】ＤＶＤ／ＨＤＤレコーダ１において実行される編集態様の一例（素材コンテンツからの部分抽出）について示した説明図である。
【図８】ＤＶＤ／ＨＤＤレコーダ１において実行される編集態様の一例（編集コンテンツからの部分抽出）について示した説明図である。
【図９】図５に示す編集態様に対応するＨＤＤ１０８における編集前後のデータ構成を示す説明図である。
【図１０】図６に示す編集態様に対応するＨＤＤ１０８における編集前後のデータ構成を示す説明図である。
【図１１】図７に示す編集態様に対応するＨＤＤ１０８における編集前後のデータ構成を示す説明図である。
【図１２】図８に示す編集態様に対応するＨＤＤ１０８における編集前後のデータ構成を示す説明図である。
【符号の説明】
【００８６】
１  ＤＶＤ／ＨＤＤレコーダ
１０１  ＣＰＵ
１０２  ＲＡＭ
１０３  ＲＯＭ
１０４  入力部
１０５  通信部
１０６  チューナ部
１０７  デコード部
１０８  ＨＤＤ
１０９  ディスクドライブ
１１０  出力部
Ｍ  ディスク状記憶媒体
【図１】
0004780066.tif 000002
【図２】
0004780066.tif 000003
【図３】
0004780066.tif 000004
【図４】
0004780066.tif 000005
【図５】
0004780066.tif 000006
【図６】
0004780066.tif 000007
【図７】
0004780066.tif 000008
【図８】
0004780066.tif 000009
【図９】
0004780066.tif 000010
【図１０】
0004780066.tif 000011
【図１１】
0004780066.tif 000012
【図１２】
0004780066.tif 000013